(57)【要約】      （修正有）【課題】比重を調整可能なゴルフクラブグリップを提供する。【解決手段】グリップ本体１０とバランスウェイトスティック２０とを含む。グリップ本体の頂端には第１の結合部１１が設けられている。ゴルフクラブは、グリップ本体の底端からグリップ本体内に挿入することができる。バランスウェイトスティックは、グリップ本体の頂端からグリップ本体内に挿入し、バランスウェイトスティックの柱体がゴルフクラブの内部に収容されている。バランスウェイトスティックの頂端にはグリップ本体の第１の結合部と連結するための第２の結合部２１が設けられている。バランスウェイトスティックの柱体は、適当のグリップ比重を得るために、裁断可能に構成されている。【選択図】図１
0003199403.tif 000002
【実用新案登録請求の範囲】
【請求項１】
頂端に第１の結合部が設けられており、底端からゴルフクラブが挿入可能な中空状のグリップ本体と、柱体を有し頂端に第２の結合部が設けられており、前記グリップ本体の頂端から前記グリップ本体内に挿入し、前記柱体が前記ゴルフクラブの内部に収容されたバランスウェイトスティックと、を備え、
前記第２の結合部と前記第１の結合部との連結により、前記グリップ本体が前記バランスウェイトスティックに結合され、さらに、前記バランスウェイトスティックの表面に裁断模様が設けられることにより、裁断の重量が標示され、必要とするグリップの比重が得られることを特徴とするゴルフクラブグリップ。
【請求項２】
前記グリップ本体は、ゴム材から発泡で作成されてなるものであり、前記バランスウェイトスティックは、比重の高いゴム材からなり、若しくは作成された成分に比重の高い物質が添加されることで重量が増加されることを特徴とする請求項１に記載のゴルフクラブグリップ。
【請求項３】
前記グリップは、外層ユニットをさらに備え、前記グリップ本体の外表面には標示領域が形成されており、前記標示領域には美観性または標示作用のための所定の色彩、模様、線条、パターンまたは文字があり、前記外層ユニットはゴム材からなり、透明かつ前記グリップ本体の外表面に被覆されていることを特徴とする請求項１に記載のゴルフクラブグリップ。
【考案の詳細な説明】
【技術分野】
【０００１】
本考案は、ゴルフクラブグリップに関し、特に比重を調整可能なゴルフクラブグリップに関するものである。
【背景技術】
【０００２】
ゴルフ用品の開発技術の向上及びゴルフ運動の普及に伴い、ユーザは、ボール用具の品質に対する要求がますます厳しくなり、多様化してきている。ゴルフクラブのグリップをユーザが握るようにするためには、よい握り心地のみだけではなく、使用効果を向上させる特性を有しなければならない。ゴルフ運動においては、スイングショット能力に影響する条件が複数存在する。そのうち、ゴルフクラブに適当な重心があると、スイングショットのバランス特性がよくなる。即ち、スイングショット時の慣性力がシフトしないことは、スイングショットの安定性及び能力の向上に寄与することができる。打撃者が公平に試合できるように、ゴルフ器具に対して、国際的には明確なパラメータ規定がある。しかしながら、打撃者の体形、ボール道具製造材料及び技術等が原因で、ゴルフクラブの重心は予期通りにならない傾向がある。一般的には、ボールヘッドに対してバランスウェイト技術を施すことで克服する。しかしながら、ゴルフクラブグリップの分野において、ゴルフクラブ重心の問題に対しては、寄与するものが極めて少なく、本考案が解決すべき課題となっている。
【０００３】
さらに、一般に、ゴルフクラブグリップは、ゴム又はプラスチックからなる単層構造であり、グリップの美観性に対しては、通常、グリップの外表面に一体成形となる花模様が設けられる。該グリップの外側に露出された花模様が長期にわたってユーザに握られた後、摩擦により線条がぼやけて、色濁り等の問題が生じ、もともと美観性を増加させるためのデザインはかえって外観上の瑕疵となってしまう。
【考案の概要】
【０００４】
そこで、本考案は、グリップのバランスウェイトの問題を解決するとともに、グリップの美観性を兼ねるゴルフクラブグリップを提供することを課題とする。
【課題を解決するための手段】
【０００５】
上述した目的を達成するために、本考案は、グリップ本体と、バランスウェイトスティックとを備える。グリップ本体の頂端には、第１の結合部が設けられている。ゴルフクラブグリップは、グリップ本体の底端からグリップ本体内に挿入することができる。バランスウェイトスティックは、グリップ本体の頂端からグリップ本体内に挿入され、バランスウェイトスティックの柱体は、ゴルフクラブ内部に収容されている。バランスウェイトスティックの頂端には、グリップ本体の第１の結合部と連結するための第２の結合部が設けられている。バランスウェイトスティックの本体は、適当のグリップ比重を得るために、裁断可能に構成されている。さらに、グリップ本体の外表面には標示領域が形成されており、標示領域は、美観性または標示作用のための所定の色彩、模様、線条、パターンまたは文字であってもよい。グリップは、透明かつグリップ本体の外表面に被覆された外層ユニットをさらに備える。グリップ本体の標示領域は、透明の外層ユニットを介して外側からはっきり視認することができる。
【考案の効果】
【０００６】
本考案に係るゴルフクラブグリップによれば、ユーザはグリップの比重を容易に調整することができ、グリップ上の外観設計も長期的に保存可能である。
【図面の簡単な説明】
【０００７】
【図１】本考案に係る第１の実施例の立体分解図である。
【図２】図１のゴルフクラブグリップの局所断面図であり、ゴルフクラブがグリップ本体に挿入される様子を示す。
【図３】図１のゴルフクラブグリップのバランスウェイトが調整された模式図である。
【図４】図１のゴルフクラブグリップのバランスウェイトが調整された他の模式図である。
【図５】本考案に係る第２の実施例の分解模式図である。
【図６】図５のゴルフクラブグリップの組み合わせ模式図である。
【図７】本考案に係る第３の実施例の立体分解図である。
【図８】図７のゴルフクラブグリップの模式図であり、ゴルフクラブグがグリップ本体に挿入される様子を示す。
【考案を実施するための形態】
【０００８】
以下、図面に示す実施例を参照しながら、本考案に係る技術手段及び構造特徴を詳しく説明する。本考案を詳しく説明する前に、ここで注意すべき点は、本考案の図面は本考案の基本構造を模式的に示したものであるため、図面において本考案に関係する素子のみ示され、示された素子の数、形状、寸法の比例はいずれも選択性のデザインであることである。
【０００９】
図１ないし４に示すように、本考案に係るゴルフクラブグリップは、グリップ本体１０と、バランスウェイトスティック２０とを含む。グリップ本体１０は、中空状となっており、その頂端に第１の結合部１１が設けられている。バランスウェイトスティック２０は、柱体を有し、その頂端に第２の結合部２１が設けられている。バランスウェイトスティック２０がグリップ本体１０に収容され、第２の結合部２１が第１の結合部１１と連結されることで、グリップ本体１０は、バランスウェイトスティック２０と結合可能である。グリップ本体１０とバランスウェイトスティック２０とは、美観的な効果を奏するために、色彩の異なる設計に構成することができる。
【００１０】
グリップ本体１０は、ゴム材から軽量化により作成することができる（例えば発泡方法で作成される）。バランスウェイトスティック２０は、比重の高いゴム材からなり、若しくは作成された成分に比重の高い物質（例えばタングステン粉）が添加されることで重量が増加される。バランスウェイトスティック２０の表面には、裁断重量の標示のために、裁断模様２２が形成されている。この実施例において、グリップ本体１０の第１の結合部１１が嵌溝１１１を有し、第２の結合部２１がフランジ２１１を有し、フランジ２１１が嵌溝１１１に圧入されることで、グリップ本体１０は、バランスウェイトスティック２０と連結可能である。
【００１１】
ゴルフクラブグ３０がグリップ本体１０の底端からグリップ本体１０内に挿入され、バランスウェイトスティック２０の柱体がゴルフクラブグ３０の内部に収容され、第２の結合部２１が第１の結合部１１と連結されることで、グリップ本体１０は、バランスウェイトスティック２０と結合固定可能である。
【００１２】
図３、４に示すように、バランスウェイトスティック２０の表面に裁断模様２２が設けられることにより、ユーザは、個人の使用習慣または所定の重量比に基づいて裁断模様２２に標示された重量を削除することができる。グリップの比重を変更することでゴルフクラブ全体の適当な重心を得ることにより、スイングショットのバランス特性が良くなり、スイングショットの慣性力が安定になり、スイングショット能力の向上に寄与することができる。しかしながら、図示されたバランスウェイトスティック２０の長さ寸法は、選択性の設計である。実際の製造において、グリップ本体１０及びバランスウェイトスティック２０の両者の重量は合計で５０グラムとなる。バランスウェイトスティック２０の重量の許容値は２５グラムであり、即ち、グリップ本体１０及びバランスウェイトスティック２０にはグリップ重量が２５〜５０グラムであり、この重量はグリップ重量の周知範囲である。
【００１３】
図５、６に示すように、本考案に係る第２の実施例のゴルフクラブグリップは、グリップ本体１０と、バランスウェイトスティック２０とを含む。第１の結合部１１は、十字形の凹溝１１２であり、第２の結合部２１は、それに対応する十字形凸片２１２を有する。十字形凸片２１２が十字形凹溝１１２に嵌入されることで、グリップ本体１０は、バランスウェイトスティック２０と連結固定可能である。
【００１４】
上記の２つの実施例の第１の結合部１１及び第２の結合部２１の連結構造には複数の選択がある。即ち、第２の実施例の構造表現のほか、グリップ本体１０とバランスウェイトスティック２０とを十分連結できるその他の設計により第１の結合部１１と第２の結合部２１とを構成することもできる。
【００１５】
図７、８に示すように、本考案に係る第３の実施例のゴルフクラブグリップは、グリップ本体１０と、バランスウェイトスティック２０と、外層ユニット１２とを含む。グリップ本体１０の外表面には標示領域１３が形成されており、標示領域は、美観性または標示作用を有する所定の色彩、模様、線条、パターンまたは文字であっても良い。外層ユニット１２は、ゴム材からなる透明外層であり、かつグリップ本体１０の外表面に被覆されている。
【００１６】
グリップ本体１０の外表面には標示領域１３が形成されており、外層ユニット１２は、グリップ本体１０の外表面に被覆されている。従って、外層ユニット１２の透明特性により、外側からの透視により、グリップ本体１０の標示領域１３の所定の色彩、模様、線条、パターン又は文字等をはっきり観察することができる。標示領域１３は、質感が繊細である美観特性を呈し、商品の価値が向上する。さらに、標示領域１３が外層ユニット１２によって保護されているため、ユーザによって直接接触されることはなく、該標示領域１３の線条の明瞭さ、色の鮮明さ及び永久の使用を確保することができる。
【００１７】
図７、８に示すグリップ本体１０及び外層ユニット１２の寸法比例は、選択性の設計であり、両者の間は、実際の必要に応じて厚薄の比例を調整することができる。
【００１８】
本考案に係るグリップ本体１０とバランスウェイトスティック２０との間は、第１の結合部１１と第２の結合部２１との連結を介して、バランスウェイトスティック２０の裁断でグリップ全体の比重が変更されることにより、適当なゴルフクラブの重心を得ることができ、これによりスイングショットの効果が向上する。さらに、バランスウェイトスティック２０がゴルフクラブグ３０のクラブ管内部に収容された場合、バランスウェイトスティック２０は、振動吸収の能力を発揮することができ、ユーザがグリップを握ってスイングショットを行う安定性及び振動吸収には積極的に寄与することができる。
【００１９】
本考案に係るゴルフクラブグリップによれば、グリップの比重を調整することでゴルフクラブ全体の重心の安定化を達成することができるとともに、その表面の外層ユニット１２は、標示領域１３の線条の明瞭さ、色の鮮明さ及び永久の使用を確保することができる。
【００２０】
上述したものは、本考案の好ましい実施例に過ぎず、本考案の実施の範囲を限定するためのものではなく、本考案の明細書及び図面内容に基づいてなされた均等な変更および付加は、いずれも本考案の特許請求の範囲内に含まれるものとする。
【００２１】
以上のように、本考案では、頂端に第１の結合部が設けられており、底端からゴルフクラブが挿入可能な中空状のグリップ本体と、柱体を有し頂端に第１の結合部が設けられており、前記グリップ本体の頂端から前記グリップ本体内に挿入し、前記柱体が前記ゴルフクラブの内部に収容されたバランスウェイトスティックと、を備え、前記第２の結合部と前記第１の結合部との連結により、前記グリップ本体が前記バランスウェイトスティックに結合され、さらに、前記バランスウェイトスティックの表面に裁断模様が設けられることにより、裁断の重量が標示され、必要とするグリップの比重が得られることを特徴とするゴルフクラブグリップとするものである。
【００２２】
また、前記グリップ本体は、ゴム材から発泡で作成されてなるものであり、前記バランスウェイトスティックは、比重の高いゴム材からなり、若しくは作成された成分に比重の高い物質が添加されることで重量が増加されるものとする。
【００２３】
また、前記グリップは、外層ユニットをさらに備え、前記グリップ本体の外表面には標示領域が形成されており、前記標示領域には美観性または標示作用のための所定の色彩、模様、線条、パターンまたは文字があり、前記外層ユニットはゴム材からなり、透明かつ前記グリップ本体の外表面に被覆されているものとする。
【産業上の利用可能性】
【００２４】
本考案に係るゴルフクラブグリップによれば、ユーザはグリップの比重を容易に調整することができ、グリップ上の外観設計も長期的に保存可能である。
【符号の説明】
【００２５】
１０  グリップ本体
１１  第１の結合部
１１１  嵌溝
１１２  十字形凹溝
１２  外層ユニット
１３  標示領域
２０  バランスウェイトスティック
２１  第２の結合部
２１１  フランジ
２１２  十字形凸片
２２  裁断模様
３０  ゴルフクラブグ
【図１】
0003199403.tif 000003
【図２】
0003199403.tif 000004
【図３】
0003199403.tif 000005
【図４】
0003199403.tif 000006
【図５】
0003199403.tif 000007
【図６】
0003199403.tif 000008
【図７】
0003199403.tif 000009
【図８】
0003199403.tif 000010